(57)【要約】【課題】多数の硬貨を円滑に出金し得るようにする。【解決手段】硬貨処理部１１の硬貨出金口１６は、硬貨収納庫３４に収納された硬貨ＣＮが繰出部３５により繰り出されると、傾斜部４２に沿って下降させた後、貯留部４５に到達させて貯留させる。このとき硬貨出金口１６は、傾斜部４２に立設した第１リブ５１等において貯留部４５側を隆起させることにより、硬貨ＣＮの一部を持ち上げながら下降させ、既存の硬貨ＣＮの上側に乗り上げさせることができる。このため硬貨出金口１６は、繰出部３５により同一箇所から連続的に多数の硬貨ＣＮが繰り出される際に、連なりの延長を回避させることができる。【選択図】図１３
2014006598.tif 000002
【特許請求の範囲】
【請求項１】
出金すべき硬貨を所定の繰出方向へ繰り出す繰出部に隣接配置され、水平面に対し傾斜された傾斜面を有し、当該繰出部から繰り出された上記硬貨の円板面を当該傾斜面と対向させ当該傾斜面に沿って下降させる傾斜部と、
上記傾斜部と連接され複数の上記硬貨を貯える貯留部と、
上記傾斜面における上記硬貨の進行経路に少なくとも一部がかかるよう立設され、上記繰出部側よりも上記貯留部側の方が上記傾斜面から大きく突出し、且つ上記貯留部側における上記傾斜面からの突出量が上記硬貨の厚さよりも大きい突出部と
を具えることを特徴とする硬貨出金機。
【請求項２】
上記突出部は、
上記硬貨と当接する部分が上記硬貨の進行経路における左右の中心から左右いずれかに偏った位置に配置された
ことを特徴とする請求項１に記載の硬貨出金機。
【請求項３】
上記突出部は、
上記繰出部側に形成され上記傾斜面と略平行な稜線又は上面を有する平行部と、
上記貯留部側に形成され上記傾斜面に対し上記平行部よりも大きく隆起した隆起部と
をさらに具えることを特徴とする請求項１に記載の硬貨出金機。
【請求項４】
上記突出部は、
少なくとも上記繰出部側において上記傾斜部からの最大突出部分が当該傾斜部と略平行な平行体と、
上記傾斜部に上記平行体と分離して配置され、少なくとも上記貯留部側において上記傾斜部からの突出量が上記平行体における突出量よりも大きくなるよう、上記貯留部側の方が上記傾斜面から大きく突出するよう傾斜した傾斜体と
を具えることを特徴とする請求項１に記載の硬貨出金機。
【請求項５】
上記繰出部は、
一の金種の硬貨と他の金種の硬貨とを互いに隣接する箇所から繰り出し、
上記突出部は、
上記一の金種の硬貨及び上記他の金種の硬貨のいずれをも傾斜させる
ことを特徴とする請求項１に記載の硬貨出金機。
【請求項６】
上記突出部は、
上記傾斜部からの突出部分が三角錐状に形成されると共に、当該三角錐における一の頂点が上記一の金種の硬貨の進行経路上に位置し、他の一の頂点が上記他の金種の硬貨の進行経路上に位置する
ことを特徴とする請求項５に記載の硬貨出金機。
【請求項７】
上記硬貨を上記傾斜部における傾斜方向と異なる方向へ導く導側壁
をさらに具え、
上記突出部は、
上記傾斜面における上記導側壁からの間隔が、上記硬貨の直径よりも短い
ことを特徴とする請求項１に記載の硬貨出金機。
【請求項８】
上記突出部は、
上記傾斜部における上記繰出方向と直交する幅方向への移動範囲を規制する側壁からの距離が、上記硬貨の半径よりも小さい
ことを特徴とする請求項１に記載の硬貨出金機。
【請求項９】
出金すべき硬貨を所定の繰出方向へ繰り出す繰出部と、
上記繰出部に隣接配置され、水平面に対し傾斜された傾斜面を有し、当該繰出部から繰り出された上記硬貨の円板面を当該傾斜面と対向させ当該傾斜面に沿って下降させる傾斜部と、
上記傾斜部と連接され複数の上記硬貨を貯える貯留部と、
上記傾斜面における上記硬貨の進行経路に少なくとも一部がかかるよう立設され、上記繰出部側よりも上記貯留部側の方が上記傾斜面から大きく突出し、且つ上記貯留部側における上記傾斜面からの突出量が上記硬貨の厚さよりも大きい突出部と
を具えることを特徴とする硬貨出金装置。
【発明の詳細な説明】
【技術分野】
【０００１】
本発明は硬貨出金機及び硬貨出金装置に関し、例えばスーパーマーケットやコンビニエンスストア等のような小売店舗の精算所において使用されるレジ釣銭システムに適用して好適なものである。
【背景技術】
【０００２】
近年、レジ釣銭システムにおいては、ＰＯＳ（Point Of Sales）システム等に接続されたＰＯＳレジに、紙幣や硬貨の入出金処理を行う釣銭機が組み合わされたものが普及しつつある。
【０００３】
この釣銭機のうち硬貨を処理する硬貨処理部は、例えばレジ係員に硬貨を投入させる硬貨入金口、投入された硬貨の種類や真偽等を鑑別する鑑別部、硬貨を金種別に収納する収納部、当該収納部から釣銭用の硬貨を繰り出す繰出部、及び繰出部から繰り出された硬貨を貯留してレジ係員に取り出させる硬貨出金口等を有したものがある（例えば、特許文献１参照）。
【０００４】
例えば図１７（Ａ）に示す硬貨出金口２１６は、水平面に対し所定の角度で傾斜した傾斜面を有する傾斜部４２と、椀状の窪みが形成された貯留部４５とにより構成されている。また傾斜部４２には、傾斜方向に沿って細長く伸びるリブ２５０が複数形成されている。
【０００５】
硬貨出金口２１６は、釣銭として出金すべく繰出部（図示せず）から繰り出された硬貨ＣＮを、傾斜部４２の傾斜面に沿って下降するよう進行させた後、貯留部４５に貯留する。
【０００６】
このとき硬貨ＣＮは、リブ２５０と線接触することにより、傾斜部４２の傾斜面と面接触する場合よりも接触抵抗が小さくなるため、当該傾斜部４２の途中で停止することなく貯留部４５に到達することができる。
【先行技術文献】
【特許文献】
【０００７】
【特許文献１】特開２００５−２４２６６３公報（第１図）
【発明の概要】
【発明が解決しようとする課題】
【０００８】
ところで小売店舗では、営業時間の終了後などに、集計処理が行われることがある。このとき硬貨処理部は、収納している硬貨ＣＮを全て外部へ出金することになる。
【０００９】
具体的に硬貨処理部は、例えばレジ係員の操作に基づき、金種毎に、収納している全ての硬貨ＣＮを繰出部から順次繰り出し、硬貨出金口２１６から出金する。このとき出金される硬貨ＣＮの枚数は、例えば数百枚程度となることがある。
【００１０】
しかしながら硬貨出金口２１６では、例えば図１７（Ｂ）に示すように、新たに出金された硬貨ＣＮの周側面が直前に出金された硬貨ＣＮの周側面と当接することにより、多数の硬貨ＣＮが貯留部４５から傾斜部４２に渡って次々と連なってしまう場合がある。
【００１１】
このとき硬貨処理部では、連なった硬貨ＣＮが内部の繰出部にまで到達することにより、収納部に収納されている硬貨ＣＮを外部へ出金できなくなってしまう、という問題があった。
【００１２】
本発明は以上の点を考慮してなされたもので、多数の硬貨を円滑に出金し得る硬貨出金機及び硬貨出金装置を提案しようとするものである。
【課題を解決するための手段】
【００１３】
かかる課題を解決するため本発明の硬貨出金機においては、出金すべき硬貨を所定の繰出方向へ繰り出す繰出部に隣接配置され、水平面に対し傾斜された傾斜面を有し、当該繰出部から繰り出された硬貨の円板面を当該傾斜面と対向させ当該傾斜面に沿って下降させる傾斜部と、傾斜部と連接され複数の硬貨を貯える貯留部と、傾斜面における硬貨の進行経路に少なくとも一部がかかるよう立設され、繰出部側よりも貯留部側の方が傾斜面から大きく突出し、且つ貯留部側における傾斜面からの突出量が硬貨の厚さよりも大きい突出部とを設けるようにした。
【００１４】
これにより本発明は、出金済の複数の硬貨が貯留部から傾斜部へ渡って連なっていたとしても、新たに繰り出される硬貨を突出部によって傾斜面上の既存の硬貨よりも高く持ち上げることにより、既存の硬貨の上方に乗り上げさせ貯留部まで下降させることができる。
【００１５】
また本発明の硬貨出金装置においては、出金すべき硬貨を所定の繰出方向へ繰り出す繰出部と、繰出部に隣接配置され、水平面に対し傾斜された傾斜面を有し、当該繰出部から繰り出された硬貨の円板面を当該傾斜面と対向させ当該傾斜面に沿って進行させる傾斜部と、傾斜部と連接され複数の硬貨を貯える貯留部と、傾斜面における硬貨の進行経路に少なくとも一部がかかるよう立設され、繰出部側よりも貯留部側の方が傾斜面から大きく突出し、且つ貯留部側における傾斜面からの突出量が硬貨の厚さよりも大きい突出部とを設けるようにした。
【００１６】
これにより本発明は、出金済の複数の硬貨が貯留部から傾斜部へ渡って連なっていたとしても、新たに繰り出される硬貨を突出部によって傾斜面上の既存の硬貨よりも高く持ち上げることにより、既存の硬貨の上方に乗り上げさせ貯留部まで下降させることができる。
【発明の効果】
【００１７】
本発明によれば、出金済の複数の硬貨が貯留部から傾斜部へ渡って連なっていたとしても、新たに繰り出される硬貨を突出部によって傾斜面上の既存の硬貨よりも高く持ち上げることにより、既存の硬貨の上方に乗り上げさせ貯留部まで下降させることができる。かくして本発明は、多数の硬貨を円滑に出金し得る硬貨出金機及び硬貨出金装置を実現できる。
【図面の簡単な説明】
【００１８】
【図１】レジ釣銭システムの外観構成を示す略線的斜視図である。
【図２】レジ釣銭システムのブロック構成を示す略線的ブロック図である。
【図３】硬貨処理部の構成を示す略線図である。
【図４】硬貨出金トレイの構成を示す略線的斜視図である。
【図５】硬貨出金トレイの構成を示す略線的斜視図である。
【図６】硬貨出金トレイの構成を示す略線的平面図である。
【図７】硬貨出金トレイの構成を示す略線的断面図である。
【図８】第５リブの構成を示す略線図である。
【図９】第１リブの構成を示す略線図である。
【図１０】第３リブの構成を示す略線図である。
【図１１】第８リブの構成を示す略線図である。
【図１２】第９リブの構成を示す略線図である。
【図１３】硬貨出金の様子（１）を示す略線的斜視図である。
【図１４】硬貨出金の様子（２）を示す略線的断面図である。
【図１５】硬貨出金の様子（３）を示す略線的断面図である。
【図１６】他の実施の形態による硬貨出金トレイの構成を示す略線的断面図である。
【図１７】従来の硬貨出金口の構成を示す略線的斜視図である。
【発明を実施するための形態】
【００１９】
以下、発明を実施するための形態（以下実施の形態とする）について、図面を用いて説明する。
【００２０】
［１．レジ釣銭システムの構成］
図１に外観を示すように、レジ釣銭システム１は、それぞれ独立した装置である上側のＰＯＳレジ２と下側の釣銭機３とにより構成されている。このレジ釣銭システム１は、例えばスーパーマーケットやコンビニエンスストアのような小売店舗の精算所（いわゆるレジ）において、顧客が購入したい商品を精算する際に、レジ係員により操作されるようになされている。
【００２１】
なお以下では、レジ係員が対峙する側面及びその反対面をそれぞれ前面及び後面とし、さらに当該レジ係員から見て左右及び上下を定義して説明する。
【００２２】
ＰＯＳレジ２は、内蔵されたレジ制御部５により全体を統括制御するようになされている。またＰＯＳレジ２には、図示しないバーコードリーダが接続されており、商品に付されたバーコードをこのバーコードリーダで読み取ることにより、当該商品を認識するようになされている。
【００２３】
表示操作部６は、液晶ディスプレイ等でなる表示部と、当該液晶ディスプレイに重ねて配置されたタッチパネル等でなる操作部とにより構成されている。
【００２４】
表示操作部６は、認識した商品の名称や金額等を液晶ディスプレイに表示する。また表示操作部６は、表示画面の一部に数字等の入力キーを表示しており、タッチパネル上の入力キーに対応する箇所が押下操作されると、当該入力キーに対応した入力操作を受け付けてレジ制御部５へ送信する。これに応じてレジ制御部５は、商品の数量の増減や金額の修正等の各処理を行うようになされている。
【００２５】
またＰＯＳレジ２には、レシート処理部７が内蔵されている。レシート処理部７は、認識した商品の名称や金額等をレシートに印字し、これをレシート排出口７Ａから排出するようになされている。
【００２６】
一方、釣銭機３は、大きく分けて、左側の硬貨処理部１１と、右側の紙幣処理部１２と、前側上部の表示操作部１３とにより構成されている。
【００２７】
硬貨処理部１１の前面には、上段に硬貨入金口１４が設けられ、その下方にリジェクト口１５及び硬貨出金口１６が設けられている。
【００２８】
硬貨処理部１１は、レジ係員により硬貨入金口１４から投入された硬貨ＣＮを取り込んで内部の硬貨収納庫に収納すると共に、レジ制御部５から指示された金種の硬貨ＣＮを硬貨出金口１６から釣銭として出金するようになされている（詳しくは後述する）。
【００２９】
紙幣処理部１２は、レジ係員により紙幣入出金口１８から入金された紙幣を取り込んで内部の紙幣収納庫に収納すると共に、レジ制御部５から指示された紙幣を内部の紙幣収納庫から取り出し、これを紙幣入出金口１８から釣銭として出金するようになされている。
【００３０】
表示操作部１３は、所定の表示パネル及び所定の操作ボタンの組み合わせにより構成されている。
【００３１】
表示操作部１３の表示パネルは、硬貨処理部１１及び紙幣処理部１２における稼働状況を表示するようになされており、例えば硬貨処理部１１において釣銭用の硬貨が不足していることや、所定のセンサにより異常を検出したこと、及びその箇所等を表示する。
【００３２】
表示操作部１３の操作ボタンは、レジ係員等による押下操作を介して、例えば硬貨の搬送等に関する指示を受け付けるようになされている。
【００３３】
また釣銭機３の内部には、釣銭制御部２１が設けられている。釣銭制御部２１は、図２にブロック構成を示すように、ＣＰＵ（Central Processing Unit）２２を中心に構成されており、フラッシュメモリ等でなるメモリ２３から釣銭出金プログラム等の各種プログラムを読み出して実行することにより、釣銭機３を統括制御するようになされている。
【００３４】
また釣銭制御部２１のＣＰＵ２２は、Ｉ／Ｏ（Input / Output）ポート２４及び２５を介して硬貨処理部１１及び紙幣処理部１２に組み込まれている複数のモータ、ソレノイド及びセンサとそれぞれ接続され、Ｉ／Ｏポート２６を介して操作部１３の操作スイッチ及び表示パネルとそれぞれ接続されている。
【００３５】
さらに釣銭制御部２１のＣＰＵ２２は、ＰＯＳレジ２のレジ制御部５とも接続されており、互いに連携して各種処理を実行するようになされている。
【００３６】
［２．硬貨処理部の構成］
図３（Ａ）及び（Ｂ）に平面図及び側面図を示すように、硬貨処理部１１の内部には、硬貨搬送路３１、硬貨認識部３２、選別搬送路３３、硬貨収納庫３４及び繰出部３５が設けられている。因みに図中の矢印は、硬貨ＣＮの搬送経路を表している。
【００３７】
硬貨入金口１４は、すり鉢状にえぐられたような形状に形成されると共に、その底部に硬貨ＣＮを１枚ずつ排出する排出機構が組み込まれている。また硬貨入金口１４には、所定箇所に硬貨ＣＮの有無を検出するセンサ（図示せず）が組み込まれている。
【００３８】
実際の精算処理において、レジ係員等が顧客から商品の代金として硬貨ＣＮを預かると、この硬貨ＣＮは、レジ係員等によりまとめて硬貨入金口１４へ入金される。硬貨入金口１４は、センサにより硬貨ＣＮが投入されたことを検出すると、釣銭制御部２１の制御に基づき、硬貨ＣＮを１枚ずつ硬貨搬送路３１に受け渡す。
【００３９】
硬貨搬送路３１は、硬貨入金口１４に投入された硬貨ＣＮを後方へ搬送することにより硬貨認識部３２の直近を通過させる。このとき硬貨認識部３２は、通過する硬貨ＣＮについて金種（例えば１円、５円、１０円、５０円、１００円及び５００円の６種類）や真偽等を判別し、その判別結果を釣銭制御部２１へ通知する。
【００４０】
これに応じて釣銭制御部２１は、正常と判別されなかった硬貨ＣＮ（いわゆるリジェクト硬貨）を硬貨搬送路３１によりリジェクト口１５へ搬送させる。
【００４１】
一方釣銭制御部２１は、正常と判別された硬貨ＣＮについては、その金種及び枚数を記憶した上で、硬貨搬送路３１により後方へ搬送させ、選別搬送路３３へ受け渡す。選別搬送路３３は、硬貨ＣＮを後方へ搬送させた後、右方向へ搬送させながら選別することにより、金種毎に硬貨収納庫３４へ収納させていく。
【００４２】
因みに釣銭制御部２１は、正常と判別された硬貨ＣＮの金種及び枚数から金額を算出し、この金額を預かり金額としてレジ制御部５へ通知する。これ応じてレジ制御部５は、預かり金額から商品の代金を差し引くことにより釣銭額を算出し、これを釣銭制御部２１へ通知するようになされている。
【００４３】
硬貨収納庫３４は、右から順に１円収納庫３４Ａ、１０円収納庫３４Ｂ、１００円収納庫３４Ｃ、５００円収納庫３４Ｄ、５円収納庫３４Ｅ、及び５０円収納庫３４Ｆに区切られている。この硬貨収納庫３４には、選別搬送路３３により、１円硬貨ＣＮ１、１０円硬貨ＣＮ１０、１００円硬貨ＣＮ１００、５００円硬貨ＣＮ５００、５円硬貨ＣＮ５及び５０円硬貨ＣＮ５０がそれぞれ分別された状態で収納される。
【００４４】
かくして入金された硬貨ＣＮは、硬貨収納庫３４に金種毎に分別された状態で収納される。
【００４５】
また硬貨収納庫３４には、各金種毎に、収納されている硬貨ＣＮを硬貨出金口１６へ繰り出す繰出部３５が設けられている。この繰出部３５は、繰出ベルト３５Ａ及びリバースローラ３５Ｂにより構成されている。
【００４６】
繰出ベルト３５Ａは、釣銭制御部２１の制御に基づき反時計回り（図３（Ｂ））に回転することにより、硬貨収納庫３４に収納されている硬貨ＣＮを前方へ搬送する。このとき搬送される硬貨ＣＮは、繰出ベルト３５Ａ上で１枚ずつに分離されている場合もあり、また複数枚が積み重なっている場合もある。
【００４７】
リバースローラ３５Ｂは、繰出ベルト３５Ａの上側に、当該繰出ベルト３５Ａとの間に硬貨ＣＮ約１枚分の隙間を空ける位置に設けられている。このリバースローラ３５Ｂは、釣銭制御部２１の制御に基づいて反時計回り（図３（Ｂ））に回転することにより、繰出ベルト３５Ａ上で複数枚が積み重なっている硬貨ＣＮのうち、最下層の硬貨ＣＮを除いた上層の硬貨ＣＮを後方へ戻し、最下層の硬貨ＣＮをそのまま前端まで搬送させる。
【００４８】
これにより硬貨ＣＮは、１枚ずつに分離され、繰出ベルト３５上に寝かされた状態で、すなわち円板面をほぼ上下に向けた状態で、硬貨出金口１６へ順次繰り出される。
【００４９】
実際上、釣銭制御部２１は、レジ制御部５から釣銭額の通知を受けると、出金すべき硬貨ＣＮの金種及び枚数を決定し、硬貨収納庫３４から繰出部３５により硬貨出金口１６へ繰り出す。
【００５０】
因みに釣銭制御部２１は、釣銭に紙幣が含まれる場合には、紙幣入出金口１８から釣銭額に応じた紙幣を出金させる。
【００５１】
これに応じてレジ係員は、レシート処理部７（図１）により精算内容を印字したレシートと共に、紙幣入出金口１８から取り出した紙幣及び硬貨出金口１６から取り出した硬貨ＣＮを釣銭として顧客に手渡すことにより、一連の精算処理を完了する。
【００５２】
このように硬貨処理部１１は、顧客から預かった硬貨ＣＮの金種及び枚数を判別し、金種毎に分別して収納すると共に、釣銭額に応じた金種及び枚数の硬貨ＣＮを出金するようになされている。
【００５３】
［３．硬貨出金部の構成］
硬貨出金口１６は、図４及び図５に示すように、リジェクト口１５と一体に、硬貨出金トレイ４１として成型されるようになされている。
【００５４】
すなわち硬貨出金トレイ４１は、右側から中央までの広い範囲に渡り、比較的大きな開口部を有する硬貨出金口１６が占めており、左側の狭い範囲に比較的小さな開口部を有するリジェクト口１５が隣接している。
【００５５】
硬貨出金トレイ４１の硬貨出金口１６側は、大きく分けて後側の傾斜部４２及び前側の貯留部４５により構成されている。またリジェクト口１５側は、大きく分けて後側の傾斜部４７及び手前側の貯留部４８により構成されている。
【００５６】
硬貨出金口１６側の傾斜部４２は、平面状であるものの、図６に示す平面図におけるＡ１−Ａ２断面及びＢ１−Ｂ２断面をそれぞれ図７（Ａ）及び（Ｂ）に示すように、前後方向を傾斜方向として前側へ進むに連れて下降している。すなわち傾斜部４２は、重力が作用する方向である鉛直方向と直交する水平面に対して傾斜されている。
【００５７】
また傾斜部４２には、その表面である傾斜面４２Ｓから上方へ盛り上がったリブ５０が突設されている（詳しくは後述する）。
【００５８】
このため傾斜部４２は、繰出部３５（図３）から繰り出された硬貨ＣＮを、重力の作用により傾斜面に沿って前下方へ進行させる。
【００５９】
また傾斜部４２は、その後側で金種毎に設けられた繰出部３５（図３）と連接するため、６種類の硬貨ＣＮがそれぞれ寝かされた状態で、すなわち硬貨ＣＮの円板面をほぼ上下に向けた状態で、当該繰出部３５から受け渡される。このため傾斜部４２の後側は、６種類の硬貨ＣＮを互いに干渉させないよう、左右方向の長さが比較的長くなっている。
【００６０】
一方、レジ釣銭システム１（図１）では、全体の大きさをできるだけ小さく抑えつつ、その前面に紙幣入出金口１８、硬貨出金口１６及びリジェクト口１５を配置することにより、レジ係員の操作性を確保する必要がある。
【００６１】
すなわち硬貨出金口１６は、紙幣入出金口１８において紙幣の長辺の長さに応じた横幅を確保させ、且つリジェクト口１５の貯留部４８からレジ係員がリジェクト硬貨を取り出し得る程度の横幅を確保させるため、貯留部４５における左右方向の長さが比較的短く抑えされている。
【００６２】
これに応じて傾斜部４２は、図６に示したように、前側へ進むに連れて左右方向の長さを徐々に短くするような形状、換言すれば後側の横幅よりも前側の横幅の方が短い台形状に形成されている。
【００６３】
この図６において、左右方向に区切られた領域Ｒ１、Ｒ１０、Ｒ１００、Ｒ５００、Ｒ５及びＲ５０は、それぞれ硬貨収納庫３４（図３）の１円収納庫３４Ａ、１０円収納庫３４Ｂ、１００円収納庫３４Ｃ、５００円収納庫３４Ｄ、５円収納庫３４Ｅ、及び５０円収納庫３４Ｆとそれぞれ対応している。
【００６４】
このため領域Ｒ１、Ｒ１０、Ｒ１００、Ｒ５００、Ｒ５及びＲ５０は、それぞれ１円硬貨ＣＮ１、１０円硬貨ＣＮ１０、１００円硬貨ＣＮ１００、５００円硬貨ＣＮ５００、５円硬貨ＣＮ５及び５０円硬貨ＣＮ５０が繰出部３５から受け渡されるおおよその位置を表している。
【００６５】
また傾斜部４２は、右端に側壁４３が立設され、左端に案内側壁４４が立設されている。側壁４３は、その内側面がほぼ左方向を向いた、すなわち傾斜面４２Ｓにおける傾斜方向である前後方向とほぼ平行な平面状に形成されている。これにより側壁４３は、傾斜部４２の傾斜面４２Ｓに沿って下降する硬貨ＣＮを右外へ落下させないよう規制している。
【００６６】
一方、案内側壁４４は、その内側面が右後ろ方向を向いた平面状に、すなわち傾斜面４２Ｓにおける傾斜方向である前後方向に対し約４０度の角度をなすように傾斜している。
【００６７】
このため案内側壁４４は、領域Ｒ５０から繰り出される５０円硬貨ＣＮ５０及び領域Ｒ５から繰り出される５円硬貨ＣＮ５が、傾斜面４２Ｓの傾斜方向に沿って前方へ進行した後に当該案内側壁４４に当接すると、これらを右方向へ寄せながら前下方へ進行させることにより、すなわち斜め右下へ斜行させることにより、貯留部４５へ案内するようになされている。
【００６８】
貯留部４５は、椀状に窪んでおり、多数（例えば５０枚以上）の硬貨ＣＮを貯留し得るようになされている。また貯留部４５の底部には、比較的大きな角孔でなる回収孔４５Ｈが穿設されている。
【００６９】
貯留部４５は、通常の精算処理が行われる際には、図示しない底板により回収孔４５Ｈを閉塞しておくことにより、繰出部３５から繰り出された硬貨ＣＮを貯留し、レジ係員により取り出させる。
【００７０】
因みに貯留部４５は、集計処理が行われる場合等、貯留可能枚数よりも多い（例えば数百枚の）硬貨ＣＮを連続して繰り出す際には、この底板を取り外す等して回収孔４５Ｈを開放することにより、繰出部３５から繰り出された硬貨ＣＮを貯留せずに落下させ、その下方に設置された所定の回収袋等に収納させるようになされている。
【００７１】
このように硬貨出金口１６の傾斜部４２は、繰出部３５により繰り出された硬貨ＣＮを傾斜面４２Ｓに沿って下降させることにより、当該硬貨ＣＮを貯留部４５に貯留させるようになされている。
【００７２】
［４．リブの構成］
次に、傾斜部４２に設けられたリブ５０について説明する。リブ５０は、右側から順に第１リブ５１、第２リブ５２、第３リブ５３、第４リブ５４、第５リブ５５、第６リブ５６、第７リブ５７、第８リブ５８及び第９リブ５９といった９個のリブにより構成されている。
【００７３】
以下では、基本的な形状である第５リブ５５について説明した後、これと大きく異なった形状である第１リブ５１、第３リブ５３、第８リブ５８及び第９リブ５９についてそれぞれ説明する。
【００７４】
［４−１．第５リブの構成］
第５リブ５５は、図６に示したように、傾斜部４２における中央から僅かに右側に偏った箇所に立設されており、１００円硬貨ＣＮ１００が繰り出される領域Ｒ１００におけるほぼ中央に配置されている。
【００７５】
この第５リブ５５は、従来のリブ２５０（図１７）と同様、傾斜方向に沿った直線状に形成されている。すなわち第５リブ５５は、図６におけるＢ１−Ｂ２断面の一部を図８（Ａ）に、そのＪ１−Ｊ２断面を図８（Ｂ）にそれぞれ示すように、三角柱がその一側面を傾斜面４２Ｓに密着させるよう取り付けられ、且つ傾斜面４２Ｓから突出している各頂点や各辺が丸められたような形状となっている。
【００７６】
また第５リブ５５は、傾斜面４２Ｓから突出した高さＨ５が比較的小さく、例えば硬貨ＣＮの厚さよりも小さくなっている。
【００７７】
このため第５リブ５５は、傾斜面４２Ｓから最も突出した部分（すなわち稜線）又はその近傍において、繰出部３５（図３）から繰り出された硬貨ＣＮと極めて狭い面積で当接し、傾斜面４２Ｓから僅かに持ち上げることにより、当該硬貨ＣＮが円板面により傾斜面４２Ｓと面接触する場合よりも接触抵抗を減少させる。これにより傾斜部４２は、硬貨ＣＮを傾斜面４２Ｓの途中で停止させることなく円滑に下降させ、貯留部４５まで到達させることができる。
【００７８】
また第２リブ５２、第４リブ５４、第６リブ５６及び第７リブ５７は、いずれも第５リブ５５と同様、傾斜方向に沿った三角柱状に構成されており、当該第５リブ５５と比較して、傾斜方向の長さや当該傾斜方向と直交する幅方向（すなわち左右方向）の長さ等が多少相違している。
【００７９】
このため第２リブ５２、第４リブ５４、第６リブ５６及び第７リブ５７は、いずれも第５リブ５５と同様、繰出部３５（図３）から繰り出された硬貨ＣＮを傾斜面４２Ｓから僅かに持ち上げて円滑に下降させ、貯留部４５まで到達させることができる。
【００８０】
［４−２．第１リブの構成］
第１リブ５１は、図６に示したように、傾斜部４２における右端近傍に立設されており、１円硬貨ＣＮ１が繰り出される領域Ｒ１における右寄りに配置されている。ここで第１リブ５１と側壁４３との間隔は、１円硬貨ＣＮ１の半径よりも短くなっている。因みに領域Ｒ１における左寄りには、第２リブ５２が立設されている。
【００８１】
第１リブ５１は、図６におけるＣ１−Ｃ２断面の一部を図９（Ａ）に、そのＫ１−Ｋ２断面を図９（Ｂ）にそれぞれ示すように、大きく分けて上側の約１／３を占める平行部５１Ａと、下側約２／３を占める隆起部５１Ｂとにより構成されている。
【００８２】
平行部５１Ａは、第５リブ５５と同様、三角柱を傾斜方向に沿って寝かせて各頂点や各辺を丸めたような形状となっている。このため平行部５１Ａの断面形状は、第５リブ５５（図８（Ｂ））とほぼ同様となる。また平行部５１Ａにおける傾斜面４２Ｓからの高さＨ１Ａは、第５リブ５５の場合と同様、１円硬貨ＣＮ１の厚さよりも小さくなっている。
【００８３】
一方、隆起部５１Ｂは、第５リブ５５と同様の三角柱を、下側（前側）へ進むに連れて傾斜面４２Ｓからの突出量（すなわち高さ）が徐々に増加するよう隆起させたような形状となっている。すなわち隆起部５１Ｂは、繰出部３５側よりも貯留部４５側の方が、傾斜面４２Ｓから大きく突出している。また隆起部５１Ｂにおける傾斜面４２Ｓからの高さＨ１Ｂは、１円硬貨ＣＮ１の厚さよりも十分に大きくなっている。
【００８４】
このように第１リブ５１は、傾斜面４２Ｓからの突出量が、上側の平行部５１Ａにおいては第５リブ５５等と同様に低く、下側の隆起部５１Ｂにおいては下側が徐々に高められていくよう隆起した構成となっている。
【００８５】
［４−３．第３リブの構成］
第３リブ５３は、図６に示したように、傾斜部４２における中央よりも右側に立設されており、１０円硬貨ＣＮ１０が繰り出される領域Ｒ１０において、中央から僅かに左へ偏った箇所に配置されている。
【００８６】
第３リブ５３は、図６におけるＤ１−Ｄ２断面の一部を図１０（Ａ）に、そのＬ１−Ｌ２断面を図１０（Ｂ）にそれぞれ示すように、大きく分けて上側の約３／４を占める平行部５３Ａと、下側約１／４を占める隆起部５３Ｂとにより構成されている。
【００８７】
平行部５３Ａは、第５リブ５５及び第１リブ５１の平行部５１Ａと同様、三角柱を傾斜方向に沿って寝かせて各頂点や各辺を丸めたような形状となっている。平行部５３Ａにおける傾斜面４２Ｓからの高さＨ３Ａは、やはり第５リブ５５及び平行部５１Ａの場合と同様、１０円硬貨ＣＮ１０の厚さよりも小さくなっている。
【００８８】
一方、隆起部５３Ｂは、第１リブ５１の隆起部５１Ｂと同様、第５リブ５５と同様の三角柱を、下側（前側）へ進むに連れて傾斜面４２Ｓからの突出量（すなわち高さ）が徐々に増加するよう隆起させたような形状となっている。すなわち隆起部５３Ｂは、隆起部５１Ｂと同様、繰出部３５側よりも貯留部４５側の方が、傾斜面４２Ｓから大きく突出している。また隆起部５３Ｂにおける傾斜面４２Ｓからの高さＨ３Ｂは、やはり隆起部５１Ｂの場合と同様、１０円硬貨ＣＮ１０の厚さよりも十分に大きくなっている。
【００８９】
このように第３リブ５３は、第１リブ５１と同様、傾斜面４２Ｓからの突出量が、上側の平行部５３Ａにおいては第５リブ５５等と同様に低いものの、下側の隆起部５３Ｂにおいては下側が徐々に高められていくよう隆起した構成となっている。
【００９０】
［４−４．第８リブの構成］
第８リブ５８は、図６に示したように、傾斜部４２における中央よりも左側に立設されており、５００円硬貨ＣＮ５００が繰り出される領域Ｒ５００と５円硬貨ＣＮ５が繰り出される領域Ｒ５との境界に跨るように配置されている。
【００９１】
また第８リブ５８は、傾斜部４２の傾斜面４２Ｓ上において、第７リブ５７の左側近傍であって、その最後端（最上端）が第７リブ５７の最後端（最上端）よりもやや前方（下方）となるよう配置されている。
【００９２】
第８リブ５８は、図６におけるＥ１−Ｅ２断面の一部を図１１（Ａ）に、また拡大した平面図を図１１（Ｂ）にそれぞれ示すように、大きく分けて中央から左側に渡る広い範囲を占める三角錐部５８Ａと、右端近傍の狭い範囲を占める三角板部５８Ｂとにより構成されている。
【００９３】
三角錐部５８Ａは、三角錐の一側面を傾斜面４２Ｓに密着させるよう取り付けたような形状となっており、残る側面をそれぞれ左後方、左前方及び右方へ向けている。
【００９４】
すなわち三角錐部５８Ａは、後側（上側）の頂点から上側の頂点へ向けて、その高さが徐々に増加すると共に、後側（上側）の頂点から左側の頂点へ向けて、左右の幅も徐々に広がっていく。
【００９５】
三角板部５８Ｂは、板面を左右方向に向けた三角形の薄板状に形成されており、その左板面を三角錐部５８Ａと接合させ、且つ一側面を傾斜面４２Ｓに密着させている。
【００９６】
ここで三角板部５８Ｂは、最も後側（上側）の頂点及び傾斜面４２Ｓから最も突出した頂点を三角錐部５８Ａと一致させる一方、最も前側（下側）の頂点を三角錐部５８Ａにおける最も下側の頂点よりも前方（下方）に位置させている。すなわち三角板部５８Ａは、いわば三角錐部５８Ａよりも僅かに下方へ延長されたような形状となっている。他の観点から見れば、三角錐部５８Ａ及び三角板部５８Ｂは、隆起部５１Ｂ及び５３Ｂと同様、繰出部３５側よりも貯留部４５側の方が、傾斜面４２Ｓから大きく突出している。
【００９７】
因みに第８リブ５８の傾斜面４２Ｓから突出した頂点及び各辺は、それぞれ適宜丸められている。
【００９８】
また第８リブ５８の傾斜面４２Ｓからの高さＨ２は、硬貨ＣＮの厚さよりも十分に大きく、すなわち第５リブ５５の高さＨ５（図８（Ａ））よりも十分に大きくなっている。
【００９９】
このように第８リブ５８は、三角錐部５８Ａ及び三角板部５８Ｂを互いに接合させたような形状となっており、後側（上側）の端部から前方（下方）へ進むに連れて、傾斜面４２Ｓからの突出量（高さ）及び左右方向の幅が、徐々に拡大していく構成となっている。
【０１００】
［４−５．第９リブの構成］
第９リブ５９は、図６に示したように、傾斜部４２における左端近傍に立設されており、５円硬貨ＣＮ５が繰り出される領域Ｒ５のほぼ全域から５０円硬貨ＣＮ５０が繰り出される領域Ｒ５０の一部に跨る比較的広い範囲に渡って配置されている。
【０１０１】
第９リブ５９は、図６におけるＦ１−Ｆ２断面の一部を図１２（Ａ）に、また拡大した平面図を図１２（Ｂ）にそれぞれ示すように、直進部５９Ａ、５９Ｂ、５９Ｃ、５９Ｄ及び５９Ｅと、案内側壁４４に沿った細長い斜行部５９Ｆとにより構成されている。
【０１０２】
直進部５９Ａ、５９Ｂ、５９Ｃ、５９Ｄ及び５９Ｅは、いずれも傾斜部４２における傾斜方向に沿った、すなわち前後方向若しくは上下方向に沿った細長い棒状に形成されているものの、傾斜方向の長さが当該直進部５９Ａから５９Ｅにかけて段階的に短くなっている。
【０１０３】
また直進部５９Ａ、５９Ｂ、５９Ｃ、５９Ｄ及び５９Ｅは、互いの後端部（上端部）の高さを揃えて、左右方向にほぼ等間隔に並ぶよう、配置されている。
【０１０４】
斜行部５９Ｆは、直進部５９Ａ等と同様の細長い棒状に形成されているものの、その延長方向が、傾斜部４２における傾斜方向に対して傾斜し、案内側壁４４とほぼ平行をなすように斜行している。
【０１０５】
また斜行部５９Ｆは、傾斜面４２Ｓ上において、案内側壁４４から間隔ＤＳだけ離れた箇所に形成されている。この間隔ＤＳは、５０円硬貨ＣＮ５０の直径よりも小さくなっている。
【０１０６】
さらに斜行部５９Ｆは、直進部５９Ａ、５９Ｂ、５９Ｃ、５９Ｄ及び５９Ｅの前端部（下端部）とそれぞれ連結されている。
【０１０７】
また第９リブ５９の傾斜面４２Ｓからの高さＨ９は、硬貨ＣＮの厚さよりも僅かに大きくなっている。換言すれば、第９リブ５９は、第１リブ５１の隆起部５１Ｂ、第３リブ５３の隆起部５３Ｂ及び第８リブ５８よりも低く形成されている。
【０１０８】
このように第９リブ５９は、細長い棒状でなる複数の直進部５９Ａ〜５９Ｅ及び斜行部５９Ｆを組み合わせることにより、比較的広い範囲に広がった形状となっている。
【０１０９】
［５．動作及び効果］
以上の構成において、硬貨処理部１１は、硬貨収納庫３４において金種毎に収納された
１円硬貨ＣＮ１、１０円硬貨ＣＮ１０、１００円硬貨ＣＮ１００、５００円硬貨ＣＮ５００、５円硬貨ＣＮ５及び５０円硬貨ＣＮ５０を、繰出部３５により領域Ｒ１、Ｒ１０、Ｒ１００、Ｒ５００、Ｒ５及びＲ５０から硬貨出金口１６へそれぞれ繰り出す。
【０１１０】
硬貨出金口１６は、傾斜面４２Ｓにリブ５０（第１リブ５１〜第９リブ５９）を形成した傾斜部４２に沿って各硬貨ＣＮを下降させた後、貯留部４５に到達させて貯留させる。
【０１１１】
ここで繰出部３５から１円硬貨ＣＮ１が繰り出されると、第１リブ５１は、図１３（Ａ）に示すように、まず平行部５１Ａの傾斜面４２Ｓから最も突出した稜線部分又はその近傍において僅かな面積で当該１円硬貨ＣＮ１と当接し、傾斜面４２Ｓから僅かに持ち上げて接触抵抗を低減させ、その円板面を傾斜面４２Ｓとほぼ平行に対向させた状態で下降させることにより、徐々に下降速度を高めていく。
【０１１２】
その後第１リブ５１は、１円硬貨ＣＮ１が隆起部５９Ｂに到達すると、図１４（Ａ）に示すように、当該隆起部５９Ｂにより当該１円硬貨ＣＮ１の当接部分を傾斜面４２Ｓから徐々に引き離すように持ち上げながら、すなわち傾斜面４２Ｓに対し起こしながら、下降させていく。
【０１１３】
このため硬貨出金口１６は、１円硬貨ＣＮ１が大量に出金される場合に、既に貯留部４５から傾斜部４２にかけて多数の１円硬貨ＣＮ１が連なっていたとしても、新たに繰り出される１円硬貨ＣＮ１の先端（下端）部分を既存の１円硬貨ＣＮ１よりも高い位置に持ち上げた状態で第１リブ５１の下端側から貯留部４５へ下降させることができる。
【０１１４】
これにより硬貨出金口１６は、新たに繰り出される１円硬貨ＣＮ１を既存の１円硬貨ＣＮ１の上側に乗り上げさせることができるので、当該１円硬貨ＣＮ１の連なりをこれ以上延長させることなく、順次貯留部４５に貯留させていくことができる。
【０１１５】
また硬貨出金口１６では、繰出部３５により繰り出される１円硬貨ＣＮ１の中央から右側に偏った箇所に第１リブ５１を配置しているため、図１４（Ａ）に示したように、下降する１円硬貨ＣＮ１の右側のみを持ち上げることになる。
【０１１６】
このため１円硬貨ＣＮ１は、左側部分において周側面の一部が傾斜面４２Ｓと当接しているため、場合によっては当該傾斜面４２Ｓとの摩擦により車輪のように回転することもできるので、既存の１円硬貨ＣＮ１の上側に容易に乗り上げることができ、連なりの延長を回避することができる。
【０１１７】
また第１リブ５１は、その後ろ側（上側）の平行部５１Ａにおける傾斜角（水平面に対する角度）が傾斜面４２Ｓと同等である一方、前側（下側）の隆起部５１Ｂにおける傾斜角が傾斜面４２Ｓよりも小さくなっている。
【０１１８】
このため第１リブ５１は、仮に後ろ側（上側）を隆起させた場合には、その傾斜角が小さくなるために１円硬貨ＣＮ１の下降速度を低下させ、途中で停止させてしまう恐れがある。
【０１１９】
この点において第１リブ５１は、後ろ側（上側）を平行部５１Ａとしたことにより、１円硬貨ＣＮ１が繰出部３５から繰り出された直後に、傾斜角が比較的大きい部分により下降に伴ってその速度を高めることができ、十分に速度を高めてから傾斜角が小さな隆起部５１Ｂに到達させることができるので、途中で停止する恐れを格段に低減することができる。
【０１２０】
また、繰出部３５から１０円硬貨ＣＮ１０が繰り出されると、第３リブ５３は、第１リブ５１の場合と同様、まず平行部５３Ａにより当該１０円硬貨ＣＮ１０の円板面を傾斜面４２Ｓとほぼ平行に対向させた状態で下降させる。
【０１２１】
その後第３リブ５３は、図１４（Ｂ）に示すように、隆起部５３Ｂにより１０円硬貨ＣＮ１０の当接部分を傾斜面４２Ｓから徐々に引き離すように持ち上げながら、すなわち傾斜面４２Ｓに対し起こしながら、下降させていく。
【０１２２】
このため硬貨出金口１６は、１０円硬貨ＣＮ１０が大量に出金される場合に、貯留部４５から傾斜部４２にかけて多数の１０円硬貨ＣＮ１０が連なっていたとしても、１円硬貨ＣＮ１の場合と同様、新たに繰り出される１０円硬貨ＣＮ１０の先端（下端）部分を既存の１０円硬貨ＣＮ１０よりも高い位置に持ち上げることができる。
【０１２３】
これにより硬貨出金口１６は、新たに繰り出された１０円硬貨ＣＮ１０を既存の１０円硬貨ＣＮ１０の上側に乗り上げさせることができ、連なりの延長を回避させることができる。
【０１２４】
このように硬貨出金口１６では、繰出部３５により同一箇所から連続的に多数の硬貨ＣＮが出金される際に、傾斜部４２に立設した第１リブ５１及び第３リブ５３のように貯留部４５側を隆起させることにより、新たに繰り出される硬貨ＣＮの一部を持ち上げて既存の硬貨ＣＮの上側に乗り上げさせることができる。
【０１２５】
このとき硬貨出金口１６では、硬貨ＣＮの中心から左右のいずれかへ偏った箇所を１箇所のみ持ち上げることにより、傾斜面４２Ｓに対し硬貨ＣＮを傾けると共にその周側面の一部を傾斜面４２Ｓに当接させることができるので、硬貨ＣＮの回転作用により乗り上げさせることも可能となる。
【０１２６】
因みに繰出部３５から１００円硬貨ＣＮ１００が繰り出されると、第５リブ５５は、図１４（Ｃ）に示すように、当該１００円硬貨ＣＮ１００と線接触しながら、その円板面を傾斜面４２Ｓとほぼ平行に対向させた状態で下降させる。
【０１２７】
このとき第５リブ５５は、第１リブ５１及び第３リブ５３ように前側（下側）が隆起していないものの、貯留部４５における左右のほぼ中央に位置しているため、多数の１００円硬貨ＣＮ１００が連なっていたとしても、衝突等により左右に振り分けるよう下降させることができるので、連なりの延長を防止することができる。
【０１２８】
また、繰出部３５から５００円硬貨ＣＮ５００が繰り出されると、まず第７リブ５７は、第５リブ５５と同様、５００円硬貨ＣＮ５００と線接触しながら、その円板面を傾斜面４２Ｓとほぼ平行に対向させた状態で下降させることにより、徐々に下降速度を高めていく。
【０１２９】
その後第８リブ５８は、図１５（Ａ）に示すように、三角板部５８Ｂの後側（上側）部分により、５００円硬貨ＣＮ５００の左側部分を傾斜面４２Ｓから徐々に引き離すように持ち上げながら下降させていく。
【０１３０】
すなわち硬貨出金口１６は、５００円硬貨ＣＮ５００については、まず第７リブ５７を第１リブ５１における平行部５１Ａと同様に作用させ、その後第８リブ５８を第１リブ５１における隆起部５１Ｂと同様に作用させる。
【０１３１】
このため硬貨出金口１６は、５００円硬貨ＣＮ５００が大量に出金される場合に、貯留部４５から傾斜部４２にかけて多数の５００円硬貨ＣＮ５００が連なっていたとしても、１円硬貨ＣＮ１の場合と同様、新たに繰り出される５００円硬貨ＣＮ５００の先端（下端）部分を既存の５００円硬貨ＣＮ５００よりも高い位置に持ち上げ、その上側に乗り上げさせることができる。
【０１３２】
また、繰出部３５から５円硬貨ＣＮ５が繰り出されると、まず第９リブ５９は、第５リブ５５と同様、５円硬貨ＣＮ５と線接触しながら、その円板面を傾斜面４２Ｓとほぼ平行に対向させた状態で下降させることにより、徐々に下降速度を高めていく。
【０１３３】
その後第８リブ５８は、図１５（Ｂ）に示すように、三角錐部５８Ａにおける後側（上側）の側面により、５円硬貨ＣＮ５の右端部分を傾斜面４２Ｓから徐々に引き離すように持ち上げながら下降させていく。その後５円硬貨ＣＮ５は、案内側壁４４に当接し、案内側壁４４に沿って回転するように右前方（右下方）へ下降していく。
【０１３４】
このため硬貨出金口１６は、５円硬貨ＣＮ５が大量に出金される場合に、貯留部４５から傾斜部４２にかけて多数の５円硬貨ＣＮ５が連なっていたとしても、１円硬貨ＣＮ１の場合と同様、新たに繰り出される５円硬貨ＣＮ５の先端（下端）部分を既存の５円硬貨ＣＮ５よりも高い位置に持ち上げ、その上側に乗り上げさせることができる。
【０１３５】
特に硬貨出金口１６の斜面部４２では、領域Ｒ５００から繰り出され、ほぼ直進する５００円硬貨ＣＮ５００の進行経路と、当該領域Ｒ５００と隣接する領域Ｒ５から繰り出され、ほぼ直進した後案内側壁４４に沿って斜行する５円硬貨ＣＮ５の進行経路とが互いに隣接し、一部合流している（図６）。
【０１３６】
そこで硬貨出金口１６は、第８リブ５８を三角錐部５８Ａ及び三角板部５８Ｂを組み合わせたような形状とし、５００円硬貨ＣＮ５００の走行経路及び５円効果ＣＮ５の走行経路の両方にかかるように配置したことにより、５００円硬貨ＣＮ５００及び５円効果ＣＮ５の進行を妨げることなく、その一部をそれぞれ持ち上げることができる。
【０１３７】
また、繰出部３５から５０円硬貨ＣＮ５０が繰り出されると、第９リブ５９は、直進部５９Ｅ等により５０円硬貨ＣＮ５０と線接触しながら、その円板面を傾斜面４２Ｓとほぼ平行に対向させた状態で下降させる。
【０１３８】
その後５０円硬貨ＣＮ５０は、案内側壁４４に当接すると、当該案内側壁４４に沿って傾斜面４２Ｓ上を右前（右下）方向へ下降する。このとき第９リブ５９は、図１５（Ｃ）に示すように、斜行部５９Ｆにより５０円硬貨ＣＮ５０の一部を傾斜面４２Ｓから引き離すように持ち上げた状態で、案内側壁４４に沿って回転させるように下降させていく。
【０１３９】
このため硬貨出金口１６は、図１３（Ｂ）に示すように、５０円硬貨ＣＮ５０が大量に出金される場合に、貯留部４５から傾斜部４２にかけて多数の５０円硬貨ＣＮ５０が連なっていたとしても、新たに繰り出される５０円硬貨ＣＮ５０の先端（下端）部分を既存の５円硬貨ＣＮ５よりも高い位置に持ち上げ、その上側に乗り上げさせることができる。
【０１４０】
特に第９リブ５９は、５０円硬貨ＣＮ５０の進行経路と５円硬貨ＣＮ５の進行経路とが合流する箇所に配置されているため、第１リブ５１や第３リブ５３のように貯留部４５側を大きく隆起させることはできないものの、新たに繰り出された５０円硬貨ＣＮ５０を既存の５０円硬貨ＣＮ５０よりも僅かに高く持ち上げて乗り上げさせることにより、連なりの延長を防止することができる。
【０１４１】
以上の構成によれば、硬貨処理部１１の硬貨出金口１６は、硬貨収納庫３４に収納された硬貨ＣＮが繰出部３５により繰り出されると、傾斜部４２に沿って下降させた後、貯留部４５に到達させて貯留させる。このとき硬貨出金口１６は、傾斜部４２に立設した第１リブ５１等の一部において貯留部４５側を隆起させることにより、硬貨ＣＮの一部を持ち上げながら下降させ、既存の硬貨ＣＮの上側に乗り上げさせることができる。このため硬貨出金口１６は、繰出部３５により同一箇所から連続的に多数の硬貨ＣＮが繰り出される際に、連なりの延長を回避させることができる。
【０１４２】
［６．他の実施の形態］
なお上述した実施の形態においては、第５リブ５５の形状を、三角柱を傾斜面４２Ｓに沿って寝かせ、傾斜面４２Ｓから突出している各頂点や辺を丸めたような形状とする場合について述べた。
【０１４３】
しかしながら本発明はこれに限らず、第５リブ５５の形状を、例えば半円中の平面部分を傾斜面４２Ｓに密着させ、各辺を丸めたような形状や、台形柱における下底側の側面部分を傾斜面４２Ｓに密着させ、各頂点や各辺を丸めたような形状等、種々の形状としても良い。この場合、例えば第１リブ５１を、平行部５１Ａについては第５リブ５５と同様の形状とし、隆起部５１Ｂ等については第５リブ５５と同様の形状を傾斜面４２Ｓから隆起させたような形状とすれば良い。
【０１４４】
これらの場合、要は、リブ５０において、下降する硬貨ＣＮに対し極力少ない面積、望ましくは線や点によって接触することにより、接触抵抗を極力低減できれば良い。第２リブ５２や第３リブ５３等についても同様である。また、複数のリブ同士で断面形状を互いに相違させるようにしても良い。
【０１４５】
また上述した実施の形態においては、第１リブ５１において、繰出部３５側に傾斜面４２Ｓからの高さをほぼ一定に保つ平行部５１Ａを設け、貯留部４５側の一部分のみを隆起部５１Ｂとするようにした場合について述べた。
【０１４６】
しかしながら本発明はこれに限らず、第１リブ５１における繰出部３５側の端部から貯留部４５側までの全範囲に渡って、傾斜面４２Ｓからの高さを徐々に高めるように、換言すればリブ５１全体を隆起部５１Ｂとするようにしても良い。この場合、水平面に対するリブ５１の上面又は稜線のなす角度を比較的大きくすることにより、繰出部３５から放出された硬貨ＣＮを途中で停止させることなく下降させることができれば良い。第３リブについても同様である。
【０１４７】
さらに上述した実施の形態においては、第１リブ５１の隆起部５１Ｂにおける、傾斜面４２Ｓからの高さが徐々に高くなる部分の稜線を直線状とするようにした場合について述べた。
【０１４８】
しかしながら本発明はこれに限らず、当該部分の稜線を例えば曲線状とするようにしても良い。第３リブ５３及び第８リブ５８についても同様である。
【０１４９】
さらに上述した実施の形態においては、領域Ｒ１における中央よりも右側に配置された第１リブ５１において、貯留部４５側を隆起させることにより、下降する１円硬貨ＣＮ１の右側を持ち上げるようにした場合について述べた。
【０１５０】
しかしながら本発明はこれに限らず、例えば第１リブ５１を第５リブ５５と同様に隆起させないようにし、第２リブ５２における貯留部４５側を隆起させるようにしても良い。これにより第２リブ５２は、下降する１円硬貨ＣＮ１の左側を持ち上げることができる。
【０１５１】
さらに上述した実施の形態においては、第８リブ５８を、三角錐状の三角錐部５８Ａと三角板状の三角板部５８Ｂとを接合させたような形状とするようにした場合について述べた。
【０１５２】
しかしながら本発明はこれに限らず、第８リブ５８を、例えば２つの三角錐部を接合させたような、すなわち四角錐のような形状とするようにしても良い。
【０１５３】
さらに上述した実施の形態においては第９リブ５９について、案内側壁４４の存在により硬貨ＣＮの進行経路同士を合流させるため、傾斜面４２Ｓからの高さＨ９を硬貨ＣＮの厚さよりも僅かに大きい程度とし、隆起部５１Ｂの高さＨ１Ｂ等よりも大幅に低くするようにした場合について述べた。
【０１５４】
しかしながら本発明はこれに限らず、例えば図１６に模式的な断面図を示す第９リブ１５９のように、第１リブ５１の隆起部５１Ｂ等と同様に比較的大きく隆起させるようにしても良い。この場合第９リブ１５９は、硬貨ＣＮの傾斜面４２Ｓに対する傾き角度を大きくでき、水平面に対し直立に近い角度まで起こした状態で、傾斜部４２と案内側壁４４との接合部分に沿って転がるように進行させることができるので、硬貨ＣＮの連なりを殆ど発生させることなく、貯留部４５まで進行させることができる。
【０１５５】
さらに上述した実施の形態においては、５本の直進部５９Ａ〜５９Ｅと１本の斜行部５１Ｆとの組み合わせにより第９リブ５９を構成するようにした場合について述べた。
【０１５６】
しかしながら本発明はこれに限らず、種々の形状の組み合わせにより第９リブ５９を構成するようにしても良い。この場合、要は硬貨ＣＮに対する接触面積を極力少なくすることにより、接触抵抗を削減して、途中で停止させることなく下降させることができれば良い。
【０１５７】
さらに上述した実施の形態においては、傾斜部４２の傾斜面４２Ｓを平面状とするようにした場合について述べた。
【０１５８】
しかしながら本発明はこれに限らず、例えば傾斜面４２Ｓを左右方向又は前後方向に湾曲させる等、任意の曲面状とするようにしても良い。この場合、リブ５０としては、傾斜面４２Ｓの形状に合わせて湾曲させれば良く、隆起部５１Ｂ及び５３Ｂ等については、例えば貯留部４５へ近づくに連れて傾斜面４２Ｓからの高さを高めるようにすれば良い。
【０１５９】
さらに上述した実施の形態においては、繰出部３５により、異なる種類の硬貨ＣＮが互いに異なる領域Ｒ（領域Ｒ１、領域Ｒ１０等）からそれぞれ繰り出されるようにした場合について述べた。
【０１６０】
しかしながら本発明はこれに限らず、例えば異なる種類の硬貨ＣＮが同一の領域Ｒから繰り出されるようにしても良い。
【０１６１】
さらに上述した実施の形態においては、繰出部３５から複数の金種の硬貨ＣＮを硬貨出金口１６へ繰り出すようにした場合について述べた。
【０１６２】
しかしながら本発明はこれに限らず、例えば精算金額が１００円単位となる販売店等において、繰出部３５から一種類の硬貨ＣＮのみを繰り出すようにしても良い。
【０１６３】
さらに上述した実施の形態においては、本発明を小売店等において精算処理を行う際に釣銭を出金するレジ釣銭システム１に適用するようにした場合について述べた。
【０１６４】
しかしながら本発明はこれに限らず、例えば自動販売機や現金自動預払機（ＡＴＭ）等、指示された金額の硬貨ＣＮを出金する種々の装置に適用することができる。
【０１６５】
さらに上述した実施の形態においては、傾斜部としての傾斜部４２と、貯留部としての貯留部４５と、突出部としての第１リブ５１及び第３リブ５３とによって硬貨貯留器としての硬貨出金口１６を構成する場合について述べた。
【０１６６】
しかしながら本発明はこれに限らず、その他種々の構成でなる傾斜部と、貯留部と、突出部とによって硬貨貯留器を構成するようにしても良い。
【０１６７】
さらに上述した実施の形態においては、繰出部としての繰出部３５と、傾斜部としての傾斜部４２と、貯留部としての貯留部４５と、突出部としての第１リブ５１及び第３リブ５３とによって硬貨出金装置としての硬貨処理部１１を構成する場合について述べた。
【０１６８】
しかしながら本発明はこれに限らず、その他種々の構成でなる繰出部と、傾斜部と、貯留部と、突出部とによって硬貨出金装置を構成するようにしても良い。
【産業上の利用可能性】
【０１６９】
本発明は、硬貨を外部へ出金する機構を有する種々の装置でも利用できる。
【符号の説明】
【０１７０】
１……レジ釣銭システム、３……釣銭機、１１……硬貨処理部、１５……リジェクト口、１６……硬貨出金口、２１……釣銭制御部、３４……硬貨収納部、３５……繰出部、４１……硬貨出金トレイ、４２……傾斜部、４２Ｓ……傾斜面、４３……側壁、４４……案内側壁、４５……貯留部、５０……リブ、５１……第１リブ、５１Ａ、５３Ａ……平行部、５１Ｂ、５３Ｂ……隆起部、５３……第３リブ、５７……第７リブ、５８……第８リブ、５９……第９リブ、ＣＮ……硬貨。
【図１】
2014006598.tif 000003
【図２】
2014006598.tif 000004
【図３】
2014006598.tif 000005
【図４】
2014006598.tif 000006
【図５】
2014006598.tif 000007
【図６】
2014006598.tif 000008
【図７】
2014006598.tif 000009
【図８】
2014006598.tif 000010
【図９】
2014006598.tif 000011
【図１０】
2014006598.tif 000012
【図１１】
2014006598.tif 000013
【図１２】
2014006598.tif 000014
【図１３】
2014006598.tif 000015
【図１４】
2014006598.tif 000016
【図１５】
2014006598.tif 000017
【図１６】
2014006598.tif 000018
【図１７】
2014006598.tif 000019